(57)【特許請求の範囲】
【請求項１】
パチンコ機前面に設けられたハンドルの回動操作とパチンコ機裏面に設けられた弾発力調節部で打球杆の弾発力を調節し、発射レール上の所定位置で待機しているパチンコ球を打撃して発射させるパチンコ機の球発射装置であって、
前記弾発力調節部は、
外周の一部に波歯状のカム歯が形成されるとともに双方向に回動操作が可能な調節つまみと、
前記カム歯と噛み合う歯合部を備えた摺動体と、
打球杆に連結された弾性体を掛止する摺動板と、
前記摺動体と前記摺動板とを連結し、前記カム歯のうちでいずれか一つの歯と前記歯合部との噛み合いに従って前記摺動板の位置を変化させる連結部材とを有し、
前記カム歯は、前記調節つまみの回動位置に応じて回動軸心と前記歯合部との噛み合う位置との距離が異なるように形成され、
前記弾性体の付勢力が前記連結部材を介して、前記カム歯と前記歯合部とが当接する方向に付勢するように構成し、
さらに前記調節つまみを回動操作して前記カム歯と前記歯合部との噛み合い位置を変化させるのみで、前記摺動板の位置を変化させて前記打球杆の弾発力を段階的に変化させる構成としたことを特徴とするパチンコ機の球発射装置。
【請求項２】
請求項１に記載されたパチンコ機の球発射装置であって、
前記連結部材には、前記ハンドルの回動に従って係動する連係杆が連結され、
前記調節つまみの回動に従って前記弾性体を付勢させる弾発力に、前記ハンドルの回動に従って前記弾性体を付勢させる弾発力が加わるように構成したことを特徴とするパチンコ機の球発射装置。
【発明の詳細な説明】
【０００１】
【産業上の利用分野】
本発明は、パチンコ機前面に設けられたハンドルの回動操作とパチンコ機裏面に設けられた弾発力調節部で弾発力を調節し、発射レール上の所定位置で待機しているパチンコ球を打撃して発射させるパチンコ機の球発射装置に関する。
【０００２】
【従来の技術】
パチンコ機の球発射装置は、発射レール上の所定位置に待機しているパチンコ球を、打球杆で打撃して発射させる装置である。この球発射装置としては、例えば特開平５−２８５２５５号公報に開示されている。この技術では、遊技者がハンドル操作して打球杆の弾発力を変える他に、打球杆の弾発力を変えれるようにするため、球発射装置に弾発力調節部（他に「引きばね調節装置」とも呼ぶ。）を備えている。この弾発力調節部では、調節つまみを用いて、スプリングを所望の位置まで付勢させておくことにより打球杆の弾発力を調節し、この弾発力に従って打球杆がパチンコ球を打撃して発射させている。
【０００３】
上記の弾発力調節部は、具体的に次のように構成されている。まず、装置板上の支軸にプーリ部材が回動可能に設けられ、打球杆とプーリ部材の間にスプリングが接続されている。また、上記支軸には支持板が回動可能に設けられ、この支持板上に回動可能に設けられた歯車とプーリ部材の外周に設けられた歯とが噛み合う。さらに、上記支持板に回動可能に設けられた歯車には調節つまみが設けられており、支持板上に設けられた係合部と調節つまみに設けられた歯とが係合する。このように、複雑な構成になっているのは、調節つまみによって調節されるスプリングの付勢力を保持するためである。なお、ハンドルの回動軸と支持板の間にはワイヤが接続されており、ハンドルを回動させると支持板も回動し、その回動量に従ってスプリングを付勢させる構成にもなっている。
【０００４】
この構成では、次のような操作でスプリングの付勢力を調節する。まず、支持板上に設けられた係合部と調節つまみに設けられた歯との係合を解除した後、調節つまみを回動させる。この調節つまみの回動に従って、支持板に回動可能に設けられた歯車も回動し、この歯車と噛み合うプーリ部材も回動する。そして、プーリ部材の回動に従って、打球杆との間に接続されたスプリングを付勢する。スプリングを所望量だけ付勢させた後、支持板上に設けられた係合部と調節つまみに設けられた歯とを係合させる。こうして、スプリングを所望量だけ付勢させ、打球杆の弾発力を調節することができた。
【０００５】
【発明が解決しようとする課題】
しかし、上記の球発射装置では、調節つまみを回動させる以外に、支持板上に設けられた係合部と調節つまみに設けられた歯との係合を解除したり、逆に係合させたりする必要があるために、調節操作が面倒であった。
本発明はこのような点に鑑みてなされたものであり、ワンタッチで打球杆の弾発力を調節することができるパチンコ機の球発射装置を提供することを目的とする。
【０００６】
【課題を解決するための手段】
本発明は、パチンコ機前面に設けられたハンドルの回動操作とパチンコ機裏面に設けられた弾発力調節部で打球杆の弾発力を調節し、発射レール上の所定位置で待機しているパチンコ球を打撃して発射させるパチンコ機の球発射装置であって、
前記弾発力調節部は、外周の一部に波歯状のカム歯が形成されるとともに双方向に回動操作が可能な調節つまみと、前記カム歯と噛み合う歯合部を備えた摺動体と、打球杆に連結された弾性体を掛止する摺動板と、前記摺動体と前記摺動板とを連結し、前記カム歯のうちでいずれか一つの歯と前記歯合部との噛み合いに従って前記摺動板の位置を変化させる連結部材とを有し、前記カム歯は、前記調節つまみの回動位置に応じて回動軸心と前記歯合部との噛み合う位置との距離が異なるように形成され、前記弾性体の付勢力が前記連結部材を介して前記カム歯と前記歯合部とが当接する方向に付勢するように構成し、さらに前記調節つまみを回動操作して前記カム歯と前記歯合部との噛み合い位置を変化させるのみで前記摺動板の位置を変化させて前記打球杆の弾発力を段階的に変化させる構成としたことを特徴とする。
【０００７】
また、請求項１に記載されたパチンコ機の球発射装置であって、前記連結部材には、前記ハンドルの回動に従って係動する連係杆が連結され、前記調節つまみの回動に従って前記弾性体を付勢させる弾発力に、前記ハンドルの回動に従って前記弾性体を付勢させる弾発力が加わるように構成したことを特徴とする。
【０００８】
【作用】
上記第１の構成によれば、調節つまみを回動操作すると、カム歯と歯合部との噛み合い位置が変化する。この噛み合い位置の変化は、摺動体および連結部材を通じて摺動板の位置を変化させるので、打球杆に連結された弾性体の付勢力も変化する。したがって、調節つまみを回動操作するというワンタッチ操作で打球杆の弾発力が調節される。
【０００９】
また、上記第２の構成によれば、ハンドルを回動させると、このハンドルの回動に従って連係杆が係動して弾性体を付勢させる弾発力が加わる。こうして、ハンドルを回動させる量に応じて、打球杆の弾発力が調節される。
【００１０】
【実施例】
以下、本発明の一実施例を図面に基づいて説明する。
まず、本発明のパチンコ機の球発射装置による打球作用について、図１を中心に、図２と図３を参照しつつ説明する。
図１は、本発明のパチンコ機の球発射装置を示す概略的な分解斜視図である。また、図２はパチンコ機の球発射装置を示す正面図であり、図３はパチンコ機の球発射装置を示す一部断面図である。なお、これらの図において、同一の要素には同一番号を付す。
【００１１】
図１において、ハンドル３０に設けられた連結軸３２はハンドル３０の回動に従って回動する。基板２０を貫通させた連結軸３２の先端部には、カム板９４が固定されている。カム板９４の外周（周縁部）にはカムローラ９０が当接するように設けられており、このカムローラ９０はカム板９４の回動に応じてケース８２の切欠８６内を水平方向に摺動する。
【００１２】
また、上記のカムローラ９０は、図２にも示すように、係動板８０のほぼ中央に回動可能に設けられている。この係動板８０は平板であって、一端付近には固定軸９２が設けられ、他端付近には係動軸８４が設けられている。さらに、係動軸８４には連係杆６６の一端が回動可能に接続されている。この構成により、カムローラ９０が水平方向に摺動すると、固定軸９２を中心に係動板８０が回動し、係動軸８４に接続された連係杆６６が水平方向に摺動する。
【００１３】
そして、連係杆６６の他端は揺動板６０の一端付近に接続されている。この揺動板６０は連結部材に相当し、図２にも示すように、角を丸めた長方形状をなす平板であって、揺動軸６２を中心に回動する。
また、揺動板６０の他端付近には連結軸４６が設けられており、この連結軸４６には摺動板４８の一端が連結されている。摺動板４８は係動板の一つであって、案内溝５０ｂに沿って水平方向に摺動し、その他端付近に設けられた掛止部５２に弾性体（バネ）の一つであるスプリング４４の一端が着脱可能に掛止されている。このスプリング４４の他端は、打球杆２２の揺動軸７０付近に設けられた掛止部４２に着脱可能に掛止されている。この構成により、連係杆６６が水平方向（具体的には、図面左方向）に摺動すると、揺動軸６２を中心に揺動板６０が揺動し、連結軸４６を介して摺動板４８の掛止部５２に掛止されたスプリング４４を付勢する。
【００１４】
こうして、ハンドル３０の回動動作は、カム板９４を通じてカムローラ９０の摺動動作，係動板８０の揺動動作，連係杆６６の摺動動作，揺動板６０の揺動動作，および摺動板４８の摺動動作の順に伝達され、スプリング４４を付勢することにより、パチンコ球２６を打撃する際の打球杆２２の弾発力に変換される。
なお、スプリング４４は掛止部４２と掛止部５２の間に着脱可能に掛止されるので、劣化等で弾性力を失った場合には容易に交換することができる。このため、メンテナンスが容易に行える。
【００１５】
ここで、打球杆２２に設けられた掛止部４２は、合成樹脂製の回転ローラ４３を軸支する構成になっている。また、基台５０における基板２０側に設けられた掛止部５２は樹脂製の円柱体（後述する支持部材５２ｂ）が設けられている。
一方、打球杆２２を付勢するスプリング４４の両端に形成されたリング状の掛止部４２，５２に着脱可能に係入れられる構成になっている。
したがって、スプリング４４の両端における掛止部４２，５２は前面で係合される構成になっているため、打球杆２２が弾発する時に滑らかに作用するとともに、各掛止部４２，５２におけるスプリング４４の着脱が容易に行える。
【００１６】
次に、モータ１０はフランジ１２を介して基板２０に固定される。このモータ１０の回転軸１６にはカム板１４が設けられており、図３に示すように打球杆２２に設けられたカムローラ７４に当接する。
この構成により、モータ１０の駆動に伴って回転軸１６が回転すると、カム板１４の外周に当接するカムローラ７４が押され、打球杆２２は上記スプリング４４の付勢力に抗して傾動する（図面では反時計方向への回転、すなわち矢印Ｄ４方向）。そして、カムローラ７４がカム板１４の先端部１４ａに達した後は、打球杆２２はスプリング４４の付勢力に従って傾動する（図面では時計方向への回転、すなわち矢印Ｄ６方向）。
【００１７】
この付勢力に従って傾動する打球杆２２に伴い、打球杆２２の先端部に設けられた弾発部２４が、図２に示すように発射レール２８上の所定位置に待機しているパチンコ球２６を打撃する。こうして、パチンコ球２６は発射レール２８に沿って矢印Ｄ２方向に発射される。以下、この打球杆２２の往復揺動を繰り返すことにより、次々にパチンコ球２６を発射する。
なお、上記の打球杆２２はパチンコ球２６を打撃した後、所定位置に設けられたストッパ４０および／またはストッパ７２に当たって停止する。
【００１８】
次に、ハンドル３０の回動とは別に、打球杆２２の弾発力を調節する機構について説明する。
まず、打球杆２２の弾発力を調節する機構の構成について、図４と図５を参照しつつ説明する。ここで、図４は、弾発力調節部の構成を示す分解斜視図である。また、図５は弾発力調節部の主要部材を示す図であって、図５（Ａ１）には調節つまみ５８の平面図を、図５（Ａ２）には調節つまみ５８の側面図を、図５（Ｂ１）には摺動体５４の平面図を、図５（Ｂ２）には摺動体５４の側面図を、図５（Ｃ１）には揺動板６０の平面図を、図５（Ｃ２）には揺動板６０の側面図をそれぞれ示す。ここで、摺動体５４は係動体の一つであり、揺動板６０は連継板の一つである。
【００１９】
図２に示すように一端が係動軸８４に接続されている連係杆６６は、図４に示すように他端がＬ字型に形成されている。このＬ字型形状の他端は、揺動板６０の一端付近に設けられた連結部６４（支持孔）に挿通する。
この連結部６４付近には円柱形状の揺動軸６２が形成されており、この揺動軸６２は摺動体５４の支持孔５４ｂに挿通される。また、揺動板６０において、揺動軸６２が形成された面と反対の面には、図５（Ｃ２）に示すように円形状の凸部６２ａが形成されている。この凸部６２ａは、基台５０の案内溝５０ａに摺動可能に嵌合される。さらに、揺動板６０の他端付近には、円柱形状の連結軸４６が形成されており、この連結軸４６は摺動板４８の一端に設けられた支持孔４８ａに挿通される。ここで、摺動体５４、摺動板４８および揺動板６０による構成は、被係動手段を具体化した構成の一つである。
【００２０】
摺動板４８の他端付近には、円柱形状の掛止部５２が形成されている。この掛止部５２は中空になっており、基台５０の裏側から案内溝５０ｂを挿通して支持部材５２ｂが嵌合される。ここで、案内溝５０ｂは、摺動板４８（支持部材５２ｂ）が水平方向に摺動可能な長溝孔である。
【００２１】
また、基台５０のほぼ中央付近に形成された円筒状の支持部５０ｄは、摺動体５４の支持孔５４ａに挿通され、調節つまみ５８に設けられた嵌合孔５８ａに嵌合される。この嵌合孔５８ａは、図５（Ａ２）に示すように階段状に形成されており、この階段状の位置まで支持部５０ｄが嵌合する。
さらに、摺動体５４には円柱状の歯合部５６が形成されており、この歯合部５６が形成された面と反対の面には、図５（Ｂ２）に示すように円状の凸部５６ａが形成されている。この凸部５６ａは、基台５０の案内溝５０ｃに摺動可能に嵌合される。
【００２２】
そして、調節つまみ５８は円筒状の部材であって、下面付近には円筒状の径よりも大きめの径をなす平板５８ｂが形成されている。平板５８ｂの外周（周縁部）に沿って、カム歯５８ｃが螺線状に形成されており、上記歯合部５６と噛み合う。ここで、カム歯５８ｃは係動手段の一つである。
このように、調節つまみ５８は円筒状の部材で構成したので、一定の強度を保つことができる。なお、調節つまみ５８は、ケース６８に設けられた支持孔６８ｂに挿通され、回動可能に支持される。
【００２３】
ここで、ケース６８の支持孔６８ｂに挿通されて突出する調節つまみ５８の両側端には、つまみの位置を示す小孔が複数設けられ、「強」と「弱」の文字および「１」から「９」までの数字が刻印されている。また、調節つまみ５８の上面にはマーカ５８ｄが設けられており、上記数字に対応する小孔との位置関係によって弾発力調節を行う場合の目安として利用することができるので、パチンコ機の管理者は弾発力の強弱を認識しながら設定することができる。
以下、上記で説明した摺動板４８，基台５０，摺動体５４，調節つまみ５８および揺動板６０によって構成され、パチンコ球２６を打撃する際の打球杆２２の弾発力を調節する機構を、「弾発力調節部」と呼ぶことにする。
【００２４】
次に、打球杆２２の弾発力を調節する機構の動作について、図６と図７を参照しつつ説明する。ここで、図６は打球杆と弾発力調節部の位置関係を示す図である。また、図７は弾発力調節部によって打球杆の弾発力を調節する場合の操作方法を示す図であって、図７（Ａ）は最も弾発力が弱い場合を、図７（Ｂ）は最も弾発力が強い場合をそれぞれ示す。なお、図２および図４と同一の要素には同一番号を付し、説明を省略する。
【００２５】
まず、図６において、調節つまみ５８を図面に対して左側に回転させると、螺線状に形成されたカム歯５８ｃのうち最小径の位置と歯合部５６が噛み合う。このとき、調節つまみ５８はケース６８の支持孔６８ｂに支持されている。また、掛止部５２に掛止されたスプリング４４は図面左側に付勢しようとするため、連結軸４６と揺動軸６２を通じて摺動体５４も図面左側に摺動する。
こうして、カム歯５８ｃの最小径の位置と歯合部５６が噛み合うと、図７（Ａ）に示すような位置関係になる。この場合、図２に示す掛止部４２と掛止部５２の間に掛止されたスプリング４４は付勢力が最も弱くなるため、打球杆２２の弾発力も最も弱くなる。
【００２６】
次に、図６において、調節つまみ５８を図面に対して右側に回転させると、螺線状に形成されたカム歯５８ｃの最大径の位置と歯合部５６が噛み合う。このとき、摺動体５４は上述の場合とは逆に図面右側に摺動する。
こうして、カム歯５８ｃの最大径の位置と歯合部５６が噛み合うと、図７（Ｂ）に示すような位置関係になる。この場合、スプリング４４は付勢力が最も強くなるため、打球杆２２の弾発力も最も強くなる。
【００２７】
ここで、調節つまみ５８に形成されたカム歯５８ｃは、調節つまみ５８の右回転により順次段階的に回動軸心からの径間が拡大された少なくとも８個の波歯状に形成されている。したがって、歯合部５６が設けられた摺動体５４を調節つまみ５８の回動によって、１ステップごとに付勢力を拡大させることができる。
また、調節つまみ５８に形成された回動軸心からの径間が最小径のカム歯は、歯合部５６と係合して調節つまみ５８の左回転を阻止する形状に形成されている。したがって、調節つまみ５８の左回転に伴う急激な弾発力の拡大を阻止することができる。
【００２８】
すなわち、調節つまみ５８を左右方向に所望の量だけ回動させると、この調節つまみ５８の回動に従って摺動体５４が左右方向に摺動し、これに伴って摺動体５４に連結された揺動板６０が揺動する。そして、揺動板６０の揺動に従って摺動板４８が摺動し、この摺動板４８（具体的には、掛止部５２）に掛止されたスプリング４４を付勢する。こうして、ワンタッチで調節つまみ５８を所望量だけ回動させて、打球杆２２の弾発力を調節することができる。
【００２９】
また、図６から明らかなように、調節つまみ５８を回動させてスプリング４４を付勢させて初期の弾発力を調節した後、上述したハンドル３０を回動させると、ハンドル３０の回動に従ってさらにスプリング４４を付勢させることができる。
すなわち、調節つまみ５８を回動させてスプリング４４を付勢させる弾発力に、上述したハンドル３０を回動させてスプリング４４を付勢させる弾発力が加わるように構成されているので、様々の弾発力で打球杆２２はパチンコ球２６を打撃し、パチンコ球２６を発射させることができる。
【００３０】
次に、ケース６８について、図４と図８を参照しつつ説明する。
ケース６８は透明又は半透明の部材であって、図８に示すように、調節つまみ５８を挿通する支持孔６８ｂの周囲には目盛り６８ｂが設けてある。このため、図４に示す調節つまみ５８の上面に設けられたマーカ５８ｄと合わせて、カム歯５８ｃと歯合部５６が噛み合う現在位置を容易に認識することができる。
【００３１】
また、図８に示すように、弾発力調節部を覆うようにケース６８を取り付けることにより、弾発力調節部を確実に保護することができる。
さらに、スプリング４４を支持するように、ローラ６８ａをケース６８の四隅の一つに設けることによって、モータ１０の回転によって伝達されたスプリング４４の付勢力（伸縮）に伴って揺動する打球杆２２がスムーズに動作する。同時に、調節つまみ５８を回動させて行う弾発力の調節もスムーズになる。
【００３２】
以上ではパチンコ機の球発射装置の一実施例について説明したが、このパチンコ機の球発射装置におけるその他の部分の構造、形状、大きさ、材質、個数、配置および動作条件等についても、本実施例に限定されるものでない。
例えば、図４等に示す調節つまみ５８に代えて、図９に示すように、つば５９ｂの外周に沿って当接部５９ａを螺線状に形成し、当接部５９ａが摺動体５４の歯合部５６と当接するような構成を備えた調節つまみ５９を本発明に適用してもよい。このとき、当接部５９ａと歯合部５６は、いずれもスプリング４４の付勢力に抗するだけの抵抗力を有する面（ざらざらする面）であることが望ましい。この調節つまみ５９を本発明に適用すれば、調節つまみ５９の回動に従って摺動体５４を連続的に摺動させることが可能になり、打球杆２２の弾発力も連続的に調節することができる。このため、調節つまみ５９を少しずつ回動させれば、打球杆２２の弾発力を微調節することができる。
【００３３】
また、図１０に示すように、打球杆２２には掛止部４２の他に、少なくとも一つの他の掛止部４２ａを設ける構成とすれば、スプリング４４はいずれか一つの掛止部と摺動板４８に設けられた掛止部５２との間で着脱可能に掛止できる。このため、必要に応じていつでも掛止部４２や、少なくとも一つの他の掛止部４２ａに掛け変えることで、調節つまみ５８やハンドル３０の操作とは別にスプリング４４の付勢力を変えることができ、ひいては打球杆２２の弾発力を変えることができる。
【００３４】
さらに、調節つまみ５８と摺動体５４によって揺動板６０を介して摺動板４８を摺動させスプリング４４を付勢する構成としたが、調節つまみ５８と摺動体５４を一体に構成した他の調節つまみを直接移動（スライド）させて揺動板６０を介して摺動板４８を摺動させスプリング４４を付勢する構成としても、上記実施例と同様の効果を得ることができる。
【００３５】
そして、弾性体にはバネの一つとしてスプリング４４（つる巻きバネ）を適用したが、これに限らず板バネやトーションバネ等の他のバネを適用してもよい。さらには、ゴム，空気シリンダ，油圧シリンダ等のように弾性力を有する他の弾性部材を適用しても、上記実施例と同様の効果を得ることができる。
【００３６】
それから、調節つまみ５８に設けられたカム歯５８ｃを、歯合部５６がスプリング４４の付勢力により係止める構成にしたので、スプリング４４を通じて各カム歯５８ｃごとの打球杆２２を引っ張る力を確実に保持し、打球杆２２の弾発力を設定できる。
調節つまみ５８の外周には軸方向にすべり止め用の溝が多数刻み込まれているので、調節つまみ５８を回動させる際には大きな摩擦力が確保される。このため、調節つまみ５８の回動操作を容易に行うことができる。
【００３７】
カム歯５８ｃと歯合部５６は樹脂材により成形されているので、注油をする必要がなく、カム歯５８ｃと歯合部５６の係合状態をいつまでも滑らかにすることができる。
調節つまみ５８の径はほぼ親指大に形成され、指先での回動操作量は少なくなり、打球杆２２の弾発力の調節が行える。
スプリング４４の掛止部５２には半円形の突起が設けられているので、発射装置が作動している時にスプリング４４が掛止部５２から離脱するのが防止できる。さらに、スプリング４４を掛止部５２に掛止するときも容易に行える。
【００３８】
パチンコ機本体の裏面に設けられた調節つまみ５８を、パチンコ機の管理者が所定範囲の弾発力になるように回動して設定し、パチンコ機本体の前面に設けられたハンドル３０を上記所定範囲内で遊技者がパチンコ球の弾発力の調節する構成であるので、作業困難なパチンコ機本体の裏面に対する弾発力の調節がパチンコ機本体の前面のハンドル３０を操作するのと同様の簡便さで設定することができる。
【００３９】
図１１において、パチンコ機本体の前面のハンドル３０を右へ回動操作した場合には、カム板９４の回動により連係杆６６が図２において左方向へ引き込まれ、揺動軸６２を軸支点として摺動板４８を右方向に摺動する。そして、掛止部４２と掛止部５２の間に掛止されたスプリング４４を連続的に引っ張り、付勢力を次第に高める。
この構成によって、パチンコ機本体の裏面の調節つまみ５８を図２において右へ回動操作した場合には、調節つまみ５８に設けられた（カム）平板５８ｂの外周に形成された複数のカム歯５８ｃが歯合部５６を逐次一歯ごとに移動して保持する。同時に、打球杆２２の掛止部４２に掛け渡されたスプリング４４を、揺動軸６２、揺動板６０、連結軸４６を介して掛止部５２が段階的に引っ張る。
【００４０】
したがって、付勢力を段階的に高める構成にしたので、パチンコ機本体の裏面で調節つまみ５８の回動操作により段階的に設定されたスプリング４４の付勢力であっても、パチンコ機本体の前面のハンドル操作の際には、連続的に、しかも調節つまみ５８の各カム歯５８ｃによる弾発力の設定範囲を超えて弾発力を調節することができる。
特に、パチンコ機本体の前面のハンドル３０と、パチンコ機本体の裏面の調節つまみ５８を各々片手で操作し、ハンドル３０と調節つまみ５８の両方を同時に回動操作することにより、当該パチンコ機におけるパチンコ球の弾発力を最適な状態に設定することができる。
【００４１】
【発明の効果】
本発明によれば、調節つまみを回動操作するというワンタッチ操作で打球杆の弾発力を調節することができる。
【００４２】
また、調節つまみを回動するのみで打球杆の弾発力を調節することができる。このため、打球杆の弾発力を調節するのに必要な労力を低く抑えることができる。
【図面の簡単な説明】
【図１】  本発明のパチンコ機の球発射装置を示す概略的な分解斜視図である。
【図２】  パチンコ機の球発射装置を示す正面図である。
【図３】  パチンコ機の球発射装置を示す一部断面図である。
【図４】  弾発力調節部の構成を示す分解斜視図である。
【図５】  弾発力調節部の主要部材を示す図であって、（Ａ１）には調節つまみの平面図を、（Ａ２）には調節つまみの側面図を、（Ｂ１）には摺動体の平面図を、（Ｂ２）には摺動体の側面図を、（Ｃ１）には揺動板の平面図を、（Ｃ２）には揺動板の側面図をそれぞれ示す。
【図６】  打球杆と弾発力調節部の位置関係をそれぞれ示す。
【図７】  弾発力調節部によって打球杆の弾発力を調節する場合の操作方法を示す図であって、（Ａ）は打球杆の弾発力が最も弱い位置を、（Ｂ）は打球杆の弾発力が最も強い位置をそれぞれ示す。
【図８】  パチンコ機の球発射装置を示す正面図である。
【図９】  弾発力調節部の他の構成を示す図である。
【図１０】  パチンコ機の球発射装置の他の構成を示す正面図である。
【図１１】  パチンコ機の正面図である。
【符号の説明】
２２  打球杆
４４  スプリング
４８  摺動板
５０  基台
５４  摺動体
５８  調節つまみ
６０  揺動板
６６  連係杆
６８  ケース
【図１】
0003681183.tif 000002
【図２】
0003681183.tif 000003
【図３】
0003681183.tif 000004
【図４】
0003681183.tif 000005
【図５】
0003681183.tif 000006
【図６】
0003681183.tif 000007
【図７】
0003681183.tif 000008
【図８】
0003681183.tif 000009
【図９】
0003681183.tif 000010
【図１０】
0003681183.tif 000011
【図１１】
0003681183.tif 000012